(57)【特許請求の範囲】
【請求項１】
遊技店に設置される複数の遊技機にそれぞれ対応して設けられ、所定の記録媒体排出操作がなされた場合に、所定の記録媒体入出口と複数の一般用記録媒体を収納する収納部との間で一の記録媒体の搬送が可能な搬送路上に設けられた読み書き部の位置に搬送された装置外部から挿入された会員用記録媒体又は一般用記録媒体若しくは該読み書き部の位置に前記収納部から搬送された一般用記録媒体に各台計数方式の持遊技媒体数を関連付けた後に、該持遊技媒体数を関連付けた会員用記録媒体又は一般用記録媒体を排出処理する各台装置であって、
遊技客により利用可能な持遊技媒体数を記憶する記憶手段と、
前記記憶手段に記憶した持遊技媒体数のうち分割して第三者に譲渡する分割持遊技媒体数を受け付ける受付手段と、
前記読み書き部の位置に所在する記録媒体が、前記会員用記録媒体であるか一般用記録媒体であるかを判定する判定手段と、
前記判定手段により一般用記録媒体であると判定された場合に、前記記憶手段に記憶した持遊技媒体数から前記分割持遊技媒体数を減算処理し、該分割持遊技媒体数を前記読み書き部の位置に所在する一般用記録媒体に関連付けて排出するとともに、前記判定手段により会員用記録媒体であると判定された場合に、前記記憶手段に記憶した持遊技媒体数から前記分割持遊技媒体数を減算した値を前記読み書き部の位置に所在する会員用記録媒体に関連付けて排出した後、前記収納部から一の一般用記録媒体を前記読み書き部の位置に搬送して該一般用記録媒体に前記分割持遊技媒体数を関連付けて排出して、前記記憶手段に記憶した持遊技媒体数の分割処理を行う分割処理手段と
を備えたことを特徴とする各台装置。
【請求項２】
前記分割処理手段は、前記判定手段により一般用記録媒体であると判定された場合に、前記記憶手段に記憶した持遊技媒体数から前記分割持遊技媒体数を減算処理するとともに、前記収納部から前記読み書き部の位置に搬送された一般用記録媒体に対して該分割持遊技媒体数を関連付けて排出することを特徴とする請求項１に記載の各台装置。
【請求項３】
前記分割処理手段は、前記判定手段により一般用記録媒体であると判定された場合に、前記記憶手段に記憶した持遊技媒体数から前記分割持遊技媒体数を減算処理するとともに、所定の挿入口から受け入れて前記読み書き部の位置に搬送された一般用記録媒体に対して該分割持遊技媒体数を関連付けて排出することを特徴とする請求項１に記載の各台装置。
【請求項４】
遊技店に設置される複数の遊技機にそれぞれ対応して設けられ、所定の記録媒体排出操作がなされた場合に、所定の記録媒体入出口と複数の一般用記録媒体を収納する収納部との間で一の記録媒体の搬送が可能な搬送路上に設けられた読み書き部の位置に搬送された装置外部から挿入された会員用記録媒体又は一般用記録媒体若しくは該読み書き部の位置に前記収納部から搬送された一般用記録媒体に各台計数方式の持遊技媒体数を関連付けた後に、該持遊技媒体数を関連付けた会員用記録媒体又は一般用記録媒体を排出処理する各台装置を含む遊技システムであって、
遊技客により利用可能な持遊技媒体数を記憶する記憶手段と、
前記記憶手段に記憶した持遊技媒体数のうち分割して第三者に譲渡する分割持遊技媒体数を受け付ける受付手段と、
前記読み書き部の位置に所在する記録媒体が、前記遊技店に会員登録した会員に付与された会員用記録媒体であるか一般用記録媒体であるかを判定する判定手段と、
前記判定手段により一般用記録媒体であると判定された場合に、前記記憶手段に記憶した持遊技媒体数から前記分割持遊技媒体数を減算処理し、該分割持遊技媒体数を前記読み書き部の位置に所在する一般用記録媒体に関連付けて排出するとともに、前記判定手段により会員用記録媒体であると判定された場合に、前記記憶手段に記憶した持遊技媒体数から前記分割持遊技媒体数を減算した値を前記読み書き部の位置に所在する会員用記録媒体に関連付けて排出した後、前記収納部から一の一般用記録媒体を前記読み書き部の位置に搬送して該一般用記録媒体に前記分割持遊技媒体数を関連付けて排出して、前記記憶手段に記憶した持遊技媒体数の分割処理を行う分割処理手段と
を備えたことを特徴とする各台装置を含む遊技システム。
【請求項５】
遊技店に設置される複数の遊技機にそれぞれ対応して設けられ、所定の記録媒体排出操作がなされた場合に、所定の記録媒体入出口と複数の一般用記録媒体を収納する収納部との間で一の記録媒体の搬送が可能な搬送路上に設けられた読み書き部の位置に搬送された装置外部から挿入された会員用記録媒体又は一般用記録媒体若しくは該読み書き部の位置に前記収納部から搬送された一般用記録媒体に各台計数方式の持遊技媒体数を関連付けた後に、該持遊技媒体数を関連付けた会員用記録媒体又は一般用記録媒体を排出処理する各台装置を含む遊技システムにおける分割処理方法であって、
遊技客により利用可能な持遊技媒体数を所定の記憶部に格納する格納工程と、
前記記憶部に記憶した持遊技媒体数のうち分割して第三者に譲渡する分割持遊技媒体数を受け付ける受付工程と、
前記読み書き部の位置に所在する記録媒体が、前記遊技店に会員登録した会員に付与された会員用記録媒体であるか一般用記録媒体であるかを判定する判定工程と、
前記判定工程により一般用記録媒体であると判定された場合に、前記記憶部に記憶した持遊技媒体数から前記分割持遊技媒体数を減算処理し、該分割持遊技媒体数を前記読み書き部の位置に所在する一般用記録媒体に関連付けて排出するとともに、前記判定工程により会員用記録媒体であると判定された場合に、前記記憶部に記憶した持遊技媒体数から前記分割持遊技媒体数を減算した値を前記読み書き部の位置に所在する会員用記録媒体に関連付けて排出した後、前記収納部から一の一般用記録媒体を前記読み書き部の位置に搬送して該一般用記録媒体に前記分割持遊技媒体数を関連付けて排出して、前記記憶部に記憶した持遊技媒体数の分割処理を行う分割処理工程と
を含んだことを特徴とする分割処理方法。
【発明の詳細な説明】
【技術分野】
【０００１】
この発明は、遊技機に対応して設けられる各台装置、各台装置を含む遊技システム及び分割処理方法に関し、特に、持玉の一部を効率良く第三者に譲り渡すことができる各台装置、各台装置を含む遊技システム及び分割処理方法に関する。
【背景技術】
【０００２】
従来、パチンコ店などの遊技店には、遊技媒体を貸し出す台間カード処理機が遊技機に併設される事が多い。遊技客は、この台間カード処理機に現金を投入することで、遊技媒体の貸し出しを受けることができるとともに、この台間カード処理機で貯遊技媒体の引出操作を行うことで、再プレイを行うことができる。
【０００３】
最近では、かかる台間カード処理機に対して遊技媒体数を計数する計数部を設け、この台間カード処理機の計数部で計数した遊技媒体数を持玉としてカードＩＤに対応づけて台間カード処理機並びにカード管理装置で管理するとともに、遊技客が台間カード処理機で持玉払出操作を行うことで、かかる持玉を所定数ずつ払い出す各台計数機付き台間カード処理機も普及しつつある（例えば、特許文献１参照）。このように、かかる各台計数機付き台間カード処理機を用いることで、遊技客は、パチンコ玉等の遊技媒体の現物を持ち歩かなくとも、持玉、貯遊技媒体及びプリペイド価値が関連付けたカードを用いて遊技の継続並びに遊技機の台移動を行うことができる。
【０００４】
ところが、上記従来技術を用いた場合には、複数人が連れ立って遊技店に来店して持玉を共有する場合に、ある遊技客から他の遊技客へ持玉の譲渡を行いづらい。具体的は、ある遊技客が獲得した持玉の一部を他の遊技客に譲渡しようとする場合に、この持玉は現物の遊技媒体として存在するわけではなく、計数結果としてカードに関連付けられたデータであるため、遊技客間での現物の遊技媒体の譲渡を行うことができない。
【０００５】
このため、遊技客間での現物の遊技媒体の譲渡を行うためには、遊技客が持玉払出操作を繰り返し行って現物の遊技媒体を投出する必要が生ずる。しかし、一回の持玉払出操作で払い出される遊技媒体数は例えば１２５個と少量であるため、遊技客は、何度も繰り返し持玉払出操作を行わねばならず、利便性に欠ける結果となる。
【０００６】
また、ある遊技客が他の遊技客に対して持玉が関連付けられたカード自体を貸与することも考えられるが、遊技客がカードの返却操作を行ってしまうと、その後に持玉の払出操作を行うことができず、やはり利便性に欠ける結果となる。
【０００７】
これらのことから、遊技客が分割先の持玉数を指定しつつ分割操作を行うと、指定した分割数を持玉数から減算した値を関連付けた分割元カードと、分割数を関連付けた分割先カードを順次台間カード処理機から排出し、遊技客が分割先カードを第三者に譲渡することで、持玉共有を行う仕組みが考えられる。
【先行技術文献】
【特許文献】
【０００８】
【特許文献１】特開２００７−２２９１１１号公報
【発明の概要】
【発明が解決しようとする課題】
【０００９】
しかしながら、上記従来技術を用いた場合には、台間カード処理機から分割元カードと分割先カードの２枚のカードが排出されるため、遊技客はどちらのカードを第三者に譲渡すべきか混乱するおそれがある。分割先カードと分割元カードが共に一般カードである場合には、カードの外観が同一であり、一見しただけでは分割元カードと分割先カードを区別できないからである。
【００１０】
その結果、遊技客が、分割元カードと分割先カードの排出順序を把握していない場合には、分割先カードを第三者に渡すつもりが、誤って分割元カードを第三者に渡してしまうこととなり、結果的に遊技客による円滑な遊技を妨げるおそれがある。
【００１１】
以上のことから、遊技客が持玉の分割処理を行ってその一部を第三者に譲渡する場合に、カード等の記録媒体の取り違えに伴う混乱をいかに防止するかが重要な課題となっている。
【００１２】
本発明は、上述した従来技術による問題点を解消するためになされたものであって、持遊技媒体数の一部を他の遊技客に譲渡して共有する場合に、カード等の記録媒体の取り違えに伴う混乱を効率良く防止することができる各台装置、各台装置を含む遊技システム及び分割処理方法を提供することを目的とする。
【課題を解決するための手段】
【００１３】
上述した課題を解決し、目的を達成するため、本発明は、遊技店に設置される複数の遊技機にそれぞれ対応して設けられ、所定の記録媒体排出操作がなされた場合に、所定の記録媒体入出口と複数の一般用記録媒体を収納する収納部との間で一の記録媒体の搬送が可能な搬送路上に設けられた読み書き部の位置に搬送された装置外部から挿入された会員用記録媒体又は一般用記録媒体若しくは該読み書き部の位置に前記収納部から搬送された一般用記録媒体に各台計数方式の持遊技媒体数を関連付けた後に、該持遊技媒体数を関連付けた会員用記録媒体又は一般用記録媒体を排出処理する各台装置であって、遊技客により利用可能な持遊技媒体数を記憶する記憶手段と、前記記憶手段に記憶した持遊技媒体数のうち分割して第三者に譲渡する分割持遊技媒体数を受け付ける受付手段と、前記読み書き部の位置に所在する記録媒体が、前記会員用記録媒体であるか一般用記録媒体であるかを判定する判定手段と、前記判定手段により一般用記録媒体であると判定された場合に、前記記憶手段に記憶した持遊技媒体数から前記分割持遊技媒体数を減算処理し、該分割持遊技媒体数を前記読み書き部の位置に所在する一般用記録媒体に関連付けて排出するとともに、前記判定手段により会員用記録媒体であると判定された場合に、前記記憶手段に記憶した持遊技媒体数から前記分割持遊技媒体数を減算した値を前記読み書き部の位置に所在する会員用記録媒体に関連付けて排出した後、前記収納部から一の一般用記録媒体を前記読み書き部の位置に搬送して該一般用記録媒体に前記分割持遊技媒体数を関連付けて排出して、前記記憶手段に記憶した持遊技媒体数の分割処理を行う分割処理手段とを備えたことを特徴とする。
【００１５】
また、本発明は、上記の発明において、前記分割処理手段は、前記判定手段により一般用記録媒体であると判定された場合に、前記記憶手段に記憶した持遊技媒体数から前記分割持遊技媒体数を減算処理するとともに、前記収納部から前記読み書き部の位置に搬送された一般用記録媒体に対して該分割持遊技媒体数を関連付けて排出することを特徴とする。
【００１６】
前記分割処理手段は、前記判定手段により一般用記録媒体であると判定された場合に、前記記憶手段に記憶した持遊技媒体数から前記分割持遊技媒体数を減算処理するとともに、所定の挿入口から受け入れて前記読み書き部の位置に搬送された一般用記録媒体に対して該分割持遊技媒体数を関連付けて排出することを特徴とする。
【００１７】
また、本発明は、遊技店に設置される複数の遊技機にそれぞれ対応して設けられ、所定の記録媒体排出操作がなされた場合に、所定の記録媒体入出口と複数の一般用記録媒体を収納する収納部との間で一の記録媒体の搬送が可能な搬送路上に設けられた読み書き部の位置に搬送された装置外部から挿入された会員用記録媒体又は一般用記録媒体若しくは該読み書き部の位置に前記収納部から搬送された一般用記録媒体に各台計数方式の持遊技媒体数を関連付けた後に、該持遊技媒体数を関連付けた会員用記録媒体又は一般用記録媒体を排出処理する各台装置を含む遊技システムであって、遊技客により利用可能な持遊技媒体数を記憶する記憶手段と、前記記憶手段に記憶した持遊技媒体数のうち分割して第三者に譲渡する分割持遊技媒体数を受け付ける受付手段と、前記読み書き部の位置に所在する記録媒体が、前記遊技店に会員登録した会員に付与された会員用記録媒体であるか一般用記録媒体であるかを判定する判定手段と、前記判定手段により一般用記録媒体であると判定された場合に、前記記憶手段に記憶した持遊技媒体数から前記分割持遊技媒体数を減算処理し、該分割持遊技媒体数を前記読み書き部の位置に所在する一般用記録媒体に関連付けて排出するとともに、前記判定手段により会員用記録媒体であると判定された場合に、前記記憶手段に記憶した持遊技媒体数から前記分割持遊技媒体数を減算した値を前記読み書き部の位置に所在する会員用記録媒体に関連付けて排出した後、前記収納部から一の一般用記録媒体を前記読み書き部の位置に搬送して該一般用記録媒体に前記分割持遊技媒体数を関連付けて排出して、前記記憶手段に記憶した持遊技媒体数の分割処理を行う分割処理手段とを備えたことを特徴とする。
【００１８】
また、本発明は、遊技店に設置される複数の遊技機にそれぞれ対応して設けられ、所定の記録媒体排出操作がなされた場合に、所定の記録媒体入出口と複数の一般用記録媒体を収納する収納部との間で一の記録媒体の搬送が可能な搬送路上に設けられた読み書き部の位置に搬送された装置外部から挿入された会員用記録媒体又は一般用記録媒体若しくは該読み書き部の位置に前記収納部から搬送された一般用記録媒体に各台計数方式の持遊技媒体数を関連付けた後に、該持遊技媒体数を関連付けた会員用記録媒体又は一般用記録媒体を排出処理する各台装置を含む遊技システムにおける分割処理方法であって、遊技客により利用可能な持遊技媒体数を所定の記憶部に格納する格納工程と、前記記憶部に記憶した持遊技媒体数のうち分割して第三者に譲渡する分割持遊技媒体数を受け付ける受付工程と、前記読み書き部の位置に所在する記録媒体が、前記遊技店に会員登録した会員に付与された会員用記録媒体であるか一般用記録媒体であるかを判定する判定工程と、前記判定工程により一般用記録媒体であると判定された場合に、前記記憶部に記憶した持遊技媒体数から前記分割持遊技媒体数を減算処理し、該分割持遊技媒体数を前記読み書き部の位置に所在する一般用記録媒体に関連付けて排出するとともに、前記判定工程により会員用記録媒体であると判定された場合に、前記記憶部に記憶した持遊技媒体数から前記分割持遊技媒体数を減算した値を前記読み書き部の位置に所在する会員用記録媒体に関連付けて排出した後、前記収納部から一の一般用記録媒体を前記読み書き部の位置に搬送して該一般用記録媒体に前記分割持遊技媒体数を関連付けて排出して、前記記憶部に記憶した持遊技媒体数の分割処理を行う分割処理工程とを含んだことを特徴とする。
【発明の効果】
【００１９】
本発明によれば、遊技店に設置される複数の遊技機にそれぞれ対応して設けられ、所定の記録媒体排出操作がなされた場合に、所定の記録媒体入出口と複数の一般用記録媒体を収納する収納部との間で一の記録媒体の搬送が可能な搬送路上に設けられた読み書き部の位置に搬送された装置外部から挿入された会員用記録媒体又は一般用記録媒体若しくは該読み書き部の位置に前記収納部から搬送された一般用記録媒体に各台計数方式の持遊技媒体数を関連付けた後に、該持遊技媒体数を関連付けた会員用記録媒体又は一般用記録媒体を排出処理する各台装置であって、遊技客により利用可能な持遊技媒体数を記憶する記憶手段と、前記記憶手段に記憶した持遊技媒体数のうち分割して第三者に譲渡する分割持遊技媒体数を受け付ける受付手段と、前記読み書き部の位置に所在する記録媒体が、前記会員用記録媒体であるか一般用記録媒体であるかを判定する判定手段と、前記判定手段により一般用記録媒体であると判定された場合に、前記記憶手段に記憶した持遊技媒体数から前記分割持遊技媒体数を減算処理し、該分割持遊技媒体数を前記読み書き部の位置に所在する一般用記録媒体に関連付けて排出するとともに、前記判定手段により会員用記録媒体であると判定された場合に、前記記憶手段に記憶した持遊技媒体数から前記分割持遊技媒体数を減算した値を前記読み書き部の位置に所在する会員用記録媒体に関連付けて排出した後、前記収納部から一の一般用記録媒体を前記読み書き部の位置に搬送して該一般用記録媒体に前記分割持遊技媒体数を関連付けて排出して、前記記憶手段に記憶した持遊技媒体数の分割処理を行う分割処理手段とを備えるよう構成したので、読み書き部に所在する記録媒体の種別に応じて適正な処理を行うことができる。一般用記録媒体の場合には、分割持遊技媒体数が関連付けられた分割先の一般用記録媒体のみが排出されることになり、分割元と分割先の混同を生じさせる事態を未然に防止することができ、会員用記録媒体の場合には、分割元の会員用記録媒体と分割先の一般用記録媒体が排出されることになるが、通常会員用記録媒体と一般用記録媒体の外観は異なるため、この場合も分割元と分割先の混同を生じさせる事態を未然に防止することができる。
【００２１】
また、本発明によれば、一般用記録媒体であると判定された場合に、記憶した持遊技媒体数から分割持遊技媒体数を減算処理するとともに、収納部から読み書き部に搬送された一般用記録媒体に対して該分割持遊技媒体数を関連付けて排出するよう構成したので、装置内部の収納部に収納した一般用記録媒体を用いて簡易に持遊技媒体数を分割することができる。
【００２２】
また、本発明によれば、一般用記録媒体であると判定された場合に、記憶した持遊技媒体数から分割持遊技媒体数を減算処理するとともに、所定の挿入口から受け入れて読み書き部に搬送された一般用記録媒体に対して該分割持遊技媒体数を関連付けて排出するよう構成したので、第三者が所持する一般用記録媒体に分割持遊技媒体数を関連付けることができるため、第三者が複数枚の一般用記録媒体を所持する必要がなくなる。
【図面の簡単な説明】
【００２３】
【図１】図１は、本実施例に係る台間カード処理機の概念を説明するための説明図である。
【図２】図２は、本実施例に係る遊技媒体処理システムのシステム構成を示す図である。
【図３】図３は、図２に示した台間カード処理機の外観構成を示す図である。
【図４】図４は、図３に示したカードユニット部の概略図である。
【図５】図５は、図３に示した台間カード処理機から一般カードを排出する場合の処理を説明するための説明図である。
【図６】図６は、図３に示した台間カード処理機へ一般カードを挿入する場合の処理を説明するための説明図である。
【図７】図７は、図２に示した台間カード処理機及びカード管理装置の内部構成を示す機能ブロック図である。
【図８】図８は、図７に示したカード情報の一例を示す図である。
【図９】図９は、図７に示した台間カード処理機による持玉分割処理時の処理手順を示すフローチャートである。
【図１０】図１０は、図３に示した表示操作部による表示並びに操作の一例を示す図である。
【図１１】図１１は、リーダライタ部に所在し最先に排出されるカードが会員カードであると判定された場合の分割処理を説明するための説明図である。
【図１２】図１２は、リーダライタ部に所在し最先に排出されるカードが一般カードであると判定された場合の分割処理を説明するための説明図である。
【図１３】図１３は、分割先カードが外部から挿入された場合の分割処理を説明するための説明図である。
【発明を実施するための形態】
【００２４】
以下に、添付図面を参照して、本発明に係る各台装置、各台装置を含む遊技システム及び分割処理方法の好適な実施例を詳細に説明する。なお、以下では、記録媒体がカードであり、このカードに関連付けられる持玉を分割対象とした場合を中心に説明することとする。
【実施例】
【００２５】
まず、本実施例に係る台間カード処理機１０の概念について説明する。図１は、本実施例に係る台間カード処理機１０の概念を説明するための説明図である。ここでは説明の便宜上、リーダライタ部１５ｂに所在する最先に排出されるカードのカード種別がカード種別データ１０ｅとして事前に記憶部１０ｃに格納されているものとする。なお、このカード種別データ１０ｅは、一般カードを意味する「１」又は会員カードを示す「２」のいずれかとなる。
【００２６】
図１に示す台間カード処理機１０は、遊技客自身の操作によって持玉を分割できる装置である。例えば、遊技客が保有する持玉「４０００玉」のうちの「１０００玉」を持玉分割処理して第三者に譲渡したい場合には、遊技客は持玉分割操作を行う。具体的には、図１（ａ）に示すように、台間カード処理機１０に設けられた持玉数表示部１８ａに「４０００玉」と表示されている状況下で表示操作部１３に「１０００」と入力し、遊技機２０に設けられたカード返却ボタン２１ａを押下操作する。
【００２７】
かかる持玉分割操作が行われたならば、台間カード処理機１０は、図１（ｂ）に示すように、カード種別に応じて、持玉分割処理を変える。具体的には、カード種別データ１０ｅが一般カードを意味する「１」である場合には、図１（ｃ）に示すように、持玉数「１０００玉」が関連付けられた一般カードを分割先カードとして排出する。このため、遊技客は、この分割先カードを第三者に譲渡することで、持玉数の一部を第三者に譲り渡すことができるとともに、残余の持玉数を用いて遊技を継続することができる。なお、本実施例では、分割元カードと分割先カードの２枚のカードを排出するのではなく、分割先カードのみを排出することとしているので、遊技客が分割元カードと分割先カードを取り違えることはない。
【００２８】
これに対して、カード種別データ１０ｅが会員カードを意味する「２」である場合には、図１（ｄ）に示すように、持玉数「３０００玉」が関連付けられた会員カードを分割元カードとして排出した後、持玉数「１０００玉」が関連付けられた一般カードを分割先カードとして排出する。この場合、分割元カードである会員カードと分割先カードである一般カードの２枚のカードが排出されるが、通常会員カードと一般カードは異なる態様の印刷等がなされているため、第三者に譲渡すべき一般カードを容易に把握することができる。このため、遊技客が分割元カードと分割先カードを取り違えることはない。
【００２９】
このように、本実施例では、台間カード処理機１０から最先に排出されるカードの種別が一般カードであるか会員カードであるかを判定し、一般カードである場合には、分割数を関連付けた一般カードのみを分割先カードとして排出し、会員カードである場合には、持玉数から分割数を減算した値を関連付けた会員カードを分割元カードとして排出した後に、分割数を関連付けた一般カードを分割先カードとして排出することで、持玉数を分割処理することとしたので、遊技客は分割先カードと分割元カードの２枚の一般カードを取得することがなくなり、その結果として分割先カードと分割元カードの取り違えを防止することができる。
【００３０】
次に、本実施例に係る遊技媒体処理システムのシステム構成について説明する。図２は、本実施例に係る遊技媒体処理システムのシステム構成を示す図である。同図に示すように、この遊技媒体処理システムでは、複数の遊技機２０と、各遊技機２０にそれぞれ対応して設けられた台間カード処理機１０と、カード管理装置４０と、会員管理装置５０と、複数の島端計数機６０と、精算機７０と、景品管理装置８０とが通信回線９０を介して接続されている。なお、複数の遊技機２０及び台間カード処理機１０は、島コントローラ３０を介して通信回線９０に接続されている。
【００３１】
遊技機２０は、パチンコ玉を遊技領域に打ち込んで遊技客がパチンコ遊技を行うパチンコ機等の装置である。台間カード処理機１０は、遊技機２０に対する玉貸し処理、遊技機２０で獲得したパチンコ玉の計数処理、計数したパチンコ玉を持玉として再投出する処理、貯玉の再プレイ処理などを行う装置である。
【００３２】
この台間カード処理機１０には、あらかじめ複数枚の一般カード１が収納部に収納されており、遊技客が遊技を終えてカード返却ボタン２１ａを押下操作すると、該一般カード１にプリペイド価値並びに持玉数が関連付けた後に返却される。具体的には、このプリペイド価値及び持玉数がカード１に書き込まれるとともに、カード管理装置４０で管理されるカード情報４０ｅの内容が更新される。また、一般カード１を受け入れたならば、この一般カード１のプリペイド価値並びに持玉数をカード管理装置４０から取得し、取得したプリペイド価値並びに持玉数に基づいてパチンコ玉の貸出処理並びに持玉の投出処理を行う。かかる一般カード１と同様に、会員カード２を受け入れた場合にも、この会員カード２のプリペイド価値並びに持玉数をカード管理装置４０から取得し、取得したプリペイド価値並びに持玉数に基づいてパチンコ玉の貸出処理並びに持玉の投出処理を行う。なお、一般カード１又は会員カード２自体にプリペイド価値並びに持玉数を書き込んだ理由は主にオフライン運用を考慮したためであり、通常運用ではカード管理装置４０で管理されるカード情報４０ｅが正として取り扱われる。
【００３３】
また、この台間カード処理機１０は、持玉が存在する状況下で持玉の分割数を入力する持玉分割操作が行われると、カード種別データ１０ｅを参照してリーダライタ部１５ｂに所在する最先に排出されるカードのカード種別を判定し、このカード種別が一般カードを示す「１」である場合と、会員カードを示す「２」である場合とで異なる持玉分割処理を行うこととしている。
【００３４】
具体的には、リーダライタ部１５ｂに所在する最先に排出されるカードが一般カードである場合には、分割数が関連付けられた１枚の一般カードのみを分割先カードとして排出し、会員カードである場合には、持玉数から分割数を減算した値を関連付けた会員カードを分割元カードとして排出した後、分割数が関連付けられた一般カードを分割先カードとして排出する。分割先カードと分割元カードの取り違えを防止するためである。
【００３５】
島コントローラ３０は、遊技島に設けられた一群の遊技機２０及び台間カード処理機１０を束ねる中継装置である。カード管理装置４０は、一般カード１及び会員カード２のプリペイド価値及び持玉数等をカード情報４０ｅとして管理する管理装置である。なお、その詳細な説明は後述するが、かかるカード情報４０ｅには、カードＩＤ、プリペイド価値及び持玉数等が含まれる。
【００３６】
会員管理装置５０は、遊技店に会員登録された会員の会員データを管理する管理装置である。具体的には、会員に対して発行した会員カードＩＤに対応づけて、会員の氏名及び住所等の会員データ並びに貯玉データ等を管理する。なお、本実施例では貯玉の分割処理についての説明を省略するが、持玉分割処理と同様に行うことができる。
【００３７】
島端計数機６０は、遊技島端等に設けられ、遊技客が獲得したパチンコ玉数を計数し、計数値を一般カード１又は会員カード２に関連付けるか、レシートへ印字して発行する。精算機７０は、紙幣挿入部４２に挿入された各種紙幣のプリペイド価値が関連付けられた一般カード１又は会員カード２が挿入されると、このプリペイド価値に相当する現金の払出を行う。景品管理装置８０は、遊技店内の景品交換カウンターに併設された景品交換用の端末装置であり、貯玉及び持玉の景品交換処理を行う。
【００３８】
次に、図２に示した台間カード処理機１０の外観構成について説明する。図３は、図２に示した台間カード処理機１０の外観構成を示す図である。同図には、台間カード処理機１０が併設される遊技機２０が破線で図示されている。また、同図には紙幣のみを受け付ける台間カード処理機１０を図示したが、硬貨受け付け用のユニットを設けることもできる。
【００３９】
図３に示すように、台間カード処理機１０は、台間カード処理機１０の装置の状態を所定色のランプの点灯あるいは点滅で表示する状態表示部１１と、パチンコ玉を貸し出す際の各種紙幣を受け付ける紙幣挿入部１２とを有する。また、台間カード処理機１０は、ディスプレイなどの表示部並びにテンキーや各種ボタンを含む操作部からなる表示操作部１３と、遊技機２０の上皿２１に遊技媒体を供給するノズル１４と、カードＩＤ、プリペイド価値、貯玉データ及び持玉データが記憶されたカード１を受け付けるカードユニット部１５と、携帯端末の識別子であるＩＤｍを読み取る携帯読取部１６とが設けられている。
【００４０】
また、台間カード処理機１０は、遊技客が獲得したパチンコ玉数を持玉数として計数する計数部１７と、獲得玉を貯留する持玉貯留部１８とを有する。遊技機２０の下皿２２から落下した遊技媒体は、持玉貯留部１８を経て計数部１７へと導かれる。この持玉貯留部１８には、持玉数を表示する持玉数表示部１８ａが設けられている。この持玉数表示部１８ａは、７セグメント（７ＳＥＧ）のＬＣＤ等で構成され、後述する台間カード処理機１０の制御部１０ｆにより表示制御される。
【００４１】
なお、遊技機２０には、パチンコ玉を貯留する上皿２１及び該上皿２１の貯留量が増えたパチンコ玉を貯留する下皿２２が設けられている。この上皿２１には、カードを返却するカード返却ボタン２１ａが設けられている。その詳細な説明は後述するが、表示操作部１３から所定のパチンコ玉数を入力してカード返却ボタン２１ａが押下操作されると、持玉分割処理が行われる。なお、このカード返却ボタン２１ａは、持玉貯留部１８に設けることもできる。
【００４２】
次に、図３に示した台間カード処理機１０のカードユニット部１５について、さらに詳細に説明する。図４は、図３に示したカードユニット部１５の概略図である。同図（ａ）には、カードユニット部１５を前面側（同図のＺ軸の負方向）からみた概略前面図を示し、同図（ｂ）には、カードユニット部１５を側面側（同図のＹＺ平面で切断しＸ軸の正方向）からみた概略側断面図を示している。
【００４３】
同図（ｂ）に示したように、カードユニット部１５は、カード搬送部１５ａと、リーダライタ部１５ｂと、収納部１５ｄとを備えている。また、リーダライタ部１５ｂは、アンテナ部１５ｃを有する。このリーダライタ部１５ｂは、図７に示したＲ／Ｗ部１０ａと同一のものである。なお、カードユニット部１５が取り扱う一般カード１及び会員カード２は、ＩＣチップを内蔵するいわゆるＩＣカードであり、あらかじめカードＩＤが記録されるとともに、持玉数、プリペイド価値などのデータが記録されている。そして、持玉数やプリペイド価値は、カード管理装置４０のカード情報４０ｅに記憶される。
【００４４】
カード搬送部１５ａは、一般カード１又は会員カード２が挿入された場合に、これらのカードを同図のＺ軸の正方向へと搬送する。また、一般カード１又は会員カード２を排出する場合には、これらのカードを同図のＺ軸の負方向へと搬送する。
【００４５】
リーダライタ部１５ｂは、一般カード１又は会員カード２とのデータ送受信を行うアンテナ部１５ｃを有している。また、リーダライタ部１５ｂは、かかるデータ送受信に際して、一般カード１又は会員カード２をアンテナ部１５ｃ上に保持する。したがって、台間カード処理機１０が、一般カード１又は会員カード２に関連付けられた持玉数を分割する場合には、かかるリーダライタ部１５ｂの位置までカードを搬送する必要がある。
【００４６】
収納部１５ｄは、遊技店の非会員である一般客に主に利用されるいわゆる一般カード１の収納領域である。所定枚数の一般カード１が、遊技店の開店前にあらかじめ収納部１５ｄに収納される。また、持玉データが関連付けられた一般カード１が挿入口から挿入された場合には、リーダライタ部１５ｂにて持玉データを読み取って関連付けを解消する。関連付けが解消された一般カード１は、収納部１５ｄへ収納される。なお、台間カード処理機１０が持玉の分割処理を行う場合には、収納部１５ｄに収納された所定枚数の一般カード１のうち、常に最上位に位置する一般カード１がリーダライタ部１５ｂの位置に搬送されることになる。
【００４７】
次に、図３に示した台間カード処理機１０から一般カード１を排出する場合の処理について説明する。図５は、図３に示した台間カード処理機１０から一般カード１を排出する場合の処理を説明するための説明図である。
【００４８】
図５（ａ）に示すように、カードユニット部１５の収納部１５ｄには、複数枚の一般カード１が収納されており、この収納部１５ｄに収納した最上部の一般カード１ａはリーダライタ部１５ｂに所在している。遊技客が、遊技を開始する前の時点では、台間カード処理機１０の記憶部１０ｃに記憶する持玉数１０ｄは「０玉」であるが、遊技客が大当たり等でパチンコ玉を獲得し、計数部１７で玉数を計数すると、計数結果が持玉数となる。ここでは、持玉数１０ｄが「４０００玉」である場合を示している。
【００４９】
ここで、遊技客がカード返却ボタン２１ａを押下操作すると、図５（ｂ）に示すように、記憶部１０ｃに記憶した持玉数１０ｄの「４０００玉」が一般カード１ａに関連付けられるとともに、記憶部１０ｃの持玉数１０ｄが「０玉」に更新され、一般カード１ａが排出される。具体的には、一般カード１ａ内に「４０００玉」を示すデータが書き込まれるとともに、台間カード処理機１０からカード管理装置４０に対してカードＩＤと持玉数「４０００玉」が通知される。なお、かかる一般カード１ａを排出したならば、収納部１５ｄに収納した最上部のカード１ｂがリーダライタ部１５ｂの位置まで搬送される。
【００５０】
このように、遊技客によりカード返却操作がなされると、台間カード処理機１０内の持玉数が一般カード１ａに関連付けて排出されることになる。なお、ここでは一般カード１ａを排出する場合を示したが、会員カード２を排出する場合も同様の処理となる。
【００５１】
次に、図３に示した台間カード処理機１０へ一般カード１を挿入した場合の処理について説明する。図６は、図３に示した台間カード処理機１０へ一般カード１を挿入した場合の処理を説明するための説明図である。
【００５２】
図６（ａ）に示すように、遊技客が遊技を開始する前に、カードユニット部１５の収納部１５ｄには、複数枚の一般カード１が収納されるとともに、一般カード１ｂがリーダライタ部１５ｂに所在しており、台間カード処理機１０の記憶部１０ｃに記憶する持玉数１０ｄは「０玉」であるとする。
【００５３】
ここで、遊技客が、持玉数「４０００玉」が関連付けられた一般カード１ａをカード挿入口へ挿入すると、まずリーダライタ部１５ｂの位置に所在する一般カード１ｂが収納部１５ｄに搬送され、収納部１５ｄに収納した最上部の一般カード１ｃの上に収納される。そして、リーダライタ部１５ｂの位置が空き状態になったならば、カード挿入口に挿入された一般カード１ａが装置内部に取り込まれ、リーダライタ部１５ｂの位置に搬送される。
【００５４】
その後、リーダライタ部１５ｂのアンテナ部１５ｃを介して一般カード１ａのカードＩＤを読み取ってカード管理装置４０に送信し、カード管理装置４０から該カードＩＤに対応する持玉数「４０００玉」を受け取ったならば、この「４０００玉」を記憶部１０ｃ内の持玉数１０ｄとして記憶する。
【００５５】
このように、遊技客によりカード挿入操作がなされると、一般カード１ａに関連付けられた持玉数が台間カード処理機１０内の持玉数１０ｄに移行されることになる。なお、ここでは一般カード１ａを挿入する場合を示したが、会員カード２を挿入する場合も同様の処理となる。
【００５６】
次に、図２に示した台間カード処理機１０及びカード管理装置４０の内部構成について説明する。図７は、図２に示した台間カード処理機１０及びカード管理装置４０の内部構成を示す機能ブロック図である。
【００５７】
同図に示すように、台間カード処理機１０は、Ｒ／Ｗ部１０ａと、通信Ｉ／Ｆ部１０ｂと、記憶部１０ｃと、制御部１０ｆとを有する。この制御部１０ｆには、表示操作部１３、計数部１７及び持玉数表示部１８ａが接続されている。
【００５８】
Ｒ／Ｗ部１０ａは、受け入れた一般カード１又は会員カード２へのデータの読み書きを行う処理部である。具体的には、一般カード１又は会員カード２が挿入された場合には、該一般カード１又は会員カード２のカードＩＤ、プリペイド価値及び持玉数を読み込んで制御部１０ｆに出力する。一般カード１又は会員カード２を返却する場合には、この一般カード１又は会員カード２にプリペイド価値及び持玉数を書き込む処理を行う。なお、一般カード１又は会員カード２にプリペイド価値及び持玉数を書き込む理由は、カード管理装置４０との通信が途絶した状況下でもオフライン運用を可能にするためであり、通常はカード管理装置４０で管理されたプリペイド価値及び持玉数が正として運用される。
【００５９】
通信Ｉ／Ｆ部１０ｂは、カード管理装置４０とデータ通信を行うためのインタフェース部である。記憶部１０ｃは、ハードディスク装置や不揮発性メモリ等の記憶デバイスであり、遊技客が保持する持玉を示す持玉数１０ｄと、リーダライタ部１５ｂに所在し最先に排出されるカードが一般カードであるか会員カードであるかの種別を示すカード種別データ１０ｅとを記憶する。具体的には、このカード種別データ１０ｅは、リーダライタ部１５ｂに所在するカードのカード種別を示しており、一般カードである場合には「１」となり、会員カードである場合には「２」となる。
【００６０】
制御部１０ｆは、台間カード処理機１０の全体制御を行う制御部であり、持玉管理部１０ｇ、持玉分割処理部１０ｈ及び払出処理部１０ｉを有する。この制御部１０ｆは、Ｒ／Ｗ部１０ａからカードＩＤ、プリペイド残高及び持玉数を受け取った場合に、このカードＩＤを利用して記憶部１０ｃ内のカード種別データ１０ｅを更新する。例えば、カードＩＤ「１０００２」のように該カードＩＤの最上位の数値が「１」である場合には、一般カードであると判定してカード種別データ１０ｅを「１」とし、カードＩＤ「００００２」のように該カードＩＤの最上位の数値が「０」である場合には、会員カードであると判定してカード種別データ１０ｅを「２」とする。
【００６１】
持玉管理部１０ｇは、記憶部１０ｃに記憶した持玉数１０ｄを用いて遊技客の持玉数を管理する管理部である。具体的には、新たな持玉が計数された場合には計数値を持玉数に加算処理し、持玉の払い出しが行われた場合には払い出し数を持玉数から減算処理する。一般カード１又は会員カード２を返却する場合には、カード管理装置４０に対して持玉数を通知してカード管理装置４０により管理されるカード情報４０ｅの更新指示を行う。
【００６２】
持玉分割処理部１０ｈは、持玉の分割処理を行う処理部である。具体的には、表示操作部１３を介して持玉を分割するため持玉分割操作を受け付けたならば、記憶部１０ｃ内のカード種別データ１０ｅを参照して最新に排出されるカードのカード種別を判定し、このカード種別が一般カードである場合には、該一般カード１に分割数を関連付けて排出する。これに対して、カード種別が会員カードである場合には、該会員カード２に対して持玉数１０ｄから分割数を減算した値を関連付けて分割元カードとして排出した後、分割数を関連付けた一般カード１を分割先カードとして排出する処理を行う。
【００６３】
払出処理部１０ｉは、図示しない持玉払出ボタンが押下操作された場合に、ノズル１４を介して持玉数のうちの所定数（例えば、１２５玉）を遊技機２０の上皿２１に投出するとともに、貸出ボタンが押下操作された場合には、カード１にプリペイド価値があることを条件に所定数の遊技媒体を払い出すよう遊技機２０に指示する処理部である。なお、貯玉の再プレイを行う場合には、ノズル１４を介して貯玉数のうちの所定数（例えば、１２５玉）を遊技機２０の上皿２１に投出することになる。
【００６４】
次に、カード管理装置４０は、入力部４０ａと、表示部４０ｂと、通信Ｉ／Ｆ部４０ｃと、記憶部４０ｄと、制御部４０ｆとを有する。入力部４０ａは、キーボードやマウス等の入力デバイスであり、表示部４０ｂは、液晶パネルやディスプレイ装置等の表示デバイスである。通信Ｉ／Ｆ部４０ｃは、台間カード処理機１０とデータ通信するためのインタフェース部であり、記憶部４０ｄは、ハードディスク装置や不揮発性メモリ等の記憶デバイスである。
【００６５】
図８に示すように、この記憶部４０ｄには、カードＩＤ、プリペイド残高及び持玉数等が対応づけられたカード情報４０ｅが記憶されている。図８は、プリペイド残高「０円」、持玉数「１５００玉」がカードＩＤ「００００１」に対応づけられ、プリペイド残高「０円」、持玉数「５００玉」がカードＩＤ「００００２」に対応づけられた状況を示している。このカードＩＤ「００００１」及び「００００２」は、会員カード２を示すものであるために最上位の数値が「０」とされている。ここでは図示省略するが、このカード情報４０ｅには、「１０００１」、「１０００２」等の最上位の数値が「１」となる一般カードのプリペイド残高及び持玉数も管理されている。
【００６６】
制御部４０ｆは、カード管理装置４０を全体制御する制御部であり、カード情報管理部４０ｇを有する。カード情報管理部４０ｇは、記憶部４０ｄに記憶したカード情報４０ｅを用いて各カードの持玉数やプリペイド価値を管理する。
【００６７】
次に、図７に示した台間カード処理機１０による持玉分割処理時の処理手順について説明する。図９は、図７に示した台間カード処理機１０による持玉分割処理時の処理手順を示すフローチャートである。ここでは説明の便宜上、台間カード処理機１０に所定数の持玉数１０ｄが記憶されていることとする。
【００６８】
図９に示すように、台間カード処理機１０は、まず表示操作部１３に操作メニューを表示しつつ所定の持玉分割操作を受け付ける（ステップＳ１０１）。具体的には、図１０（ａ）に示すように、表示操作部１３に「情報参照」、「ワゴン呼出」、「貯玉」、「持玉分割」の選択メニューを表示する。遊技客が、「持玉分割」を選択操作したならば、テンキーを表示して分割持玉数（分割数）を入力させる。そして、例えば「１０００玉」の分割数が入力されたならば、分割結果確認メニューを表示する。
【００６９】
このようにして、持玉分割操作を受け付けたならば、現持玉数１０ｄ（Ａ）と分割数（Ｂ）から分割後の分割元カードの持玉数（Ｃ）を「Ｃ＝Ａ−Ｂ」の算定式を用いて算定する（ステップＳ１０２）。その後、記憶部１０ｃ内のカード種別データ１０ｅを参照して最新に排出されるカードのカード種別を判定する（ステップＳ１０３）。具体的には、このカード種別データ１０ｅが「１」であれば一般カード１であると判定し、カード種別データ１０ｅが「２」であれば会員カード２であると判定する。
【００７０】
そして、会員カードであると判定された場合には（ステップＳ１０３：Ｙｅｓ）、分割元カードの持玉数（Ｃ）を関連付けた会員カード２を分割元カードとして排出する（ステップＳ１０４）。具体的には、この分割元カードの持玉数（Ｃ）をカード管理装置４０に送信してカード情報４０ｅの書き換え指示を行い、カード情報４０ｅの書き換え完了後に持玉数（Ｃ）を会員カード２に記録し、記録完了後に会員カード２を排出する。
【００７１】
その後、分割数（Ｂ）を関連付けた一般カード１を分割先カードとして排出する（ステップＳ１０５）。なお、一般カードであると判定された場合には（ステップＳ１０３：Ｎｏ）、ステップＳ１０５に移行して、分割数（Ｂ）を関連付けた一般カード１（分割先カード）のみを排出する。かかる場合には、分割元カードは排出しない。分割先カードと分割元カードの取り違えを防止するためである。したがって、かかる場合には、分割元カードの持玉数（Ｃ）は、記憶部１０ｃ内の持玉数１０ｄとして記憶されたままの状態となるため、遊技客は継続して持玉を用いた遊技を行うことができる。
【００７２】
そして、収納部１５ｄに収納した一般カード１のカード枚数が所定枚数以上あるか否かを確認し（ステップＳ１０６）、所定枚数未満となった場合には（ステップＳ１０６：Ｎｏ）、表示操作部１３にカード枚数不足「ＮＯ  ＣＡＲＤ」を表示して（ステップＳ１０７）、遊技客にカード不足を通知する。なお、所定枚数以上が存在する場合には（ステップＳ１０６：Ｙｅｓ）、そのまま処理を終了する。
【００７３】
上記一連の処理を行うことにより、リーダライタ部１５ｂに所在し最先の排出されるカードが一般カード１である場合には、分割先カードのみが排出されることになるので、分割元カードと分割先カードの取り違えを未然に防止することができる。かかる場合には、図１０（ｂ）に示すように、「このカードをお渡し下さい」と表示することで、円滑な持玉共有を行うことができる。一方、リーダライタ部１５ｂに所在し最先に排出されるカードが会員カード２である場合には、まず分割元カードである会員カード２が排出されるので、図１０（ｃ）に示すように「次に出てくるカードを渡した後に、引き続きご利用頂けます」と表示操作部１３に表示し、引き続き分割先カードが排出された時点で「このカードを渡して下さい」と表示操作部１３に表示することで、分割元カードと分割先カードの取り違えを未然に防止することができる。ここで、会員カード２であると判定された場合には、分割元カードである会員カード２と分割先カードである一般カード１の２枚のカードが排出されるが、会員カード２と一般カード１は印字等が異なるので、カードの取り違えを防止することができる。
【００７４】
次に、リーダライタ部１５ｂに所在し最先に排出されるカードが会員カードであると判定された場合の持玉分割処理についてさらに具体的に説明する。図１１は、リーダライタ部１５ｂに所在し最先に排出されるカードが会員カードであると判定された場合の持玉分割処理を説明するための説明図である。ここでは説明の便宜上、持玉の取り扱いについて説明することとし、プリペイド残高についての説明を省略する。
【００７５】
図１１（ａ）は、遊技客が台間カード処理機１０に会員カード２を挿入して持玉遊技を行っている時点の状態を示している。記憶部１０ｃの持玉数１０ｄには「４０００玉」が記憶され、カードユニット部１５のリーダライタ部１５ｂの位置には会員カード２が所在している。また、収納部１５ｄには複数枚の一般カード１が収納されており、その最上部には一般カード１ｂが存在する。
【００７６】
ここで、分割数「１０００玉」の持玉分割操作が行われると、図１１（ｂ）に示すように、その時点の持玉数１０ｄの「４０００玉」から分割数「１０００玉」を減算した「３０００玉」が会員カード２に関連付けられた後に、該会員カード２が分割元カードとして台間カード処理機１０から排出される。この際、記憶部１０ｃに記憶した持玉数１０ｄが「１０００玉」に減算される。
【００７７】
その後、図１１（ｃ）に示すように、収納部１５ｄの最上部に収納した一般カード１ｂが、リーダライタ部１５ｂの位置に搬送され、記憶部１０ｃに記憶した持玉数１０ｄ「１０００玉」を一般カード１ｂに関連付ける。そして、図１１（ｄ）に示すように、記憶部１０ｃに記憶した持玉数１０ｄを「０玉」に更新し、一般カード１ｂを分割先カードとして台間カード処理機１０から排出する。なお、この時点で収納部１５ｄの最上部に収納した一般カード１ｃは、リーダライタ部１５ｂの位置に搬送され、収納部１５ｄに収納される複数の一般カード１の最上部には一般カード１ｄが所在することになる。
【００７８】
このようにして、リーダライタ部１５ｂに所在し最先に排出されるカードが会員カードである場合には、持玉数から分割数を減算した値を関連付けた会員カード２が分割元カードとして排出された後に、分割数を関連付けた一般カード１ｂが分割先カードとして排出されることになる。
【００７９】
次に、リーダライタ部１５ｂに所在し最先に排出されるカードが一般カードであると判定された場合の持玉分割処理についてさらに具体的に説明する。図１２は、リーダライタ部１５ｂに所在し最先に排出されるカードが一般カードであると判定された場合の持玉分割処理を説明するための説明図である。ここでも図１１と同様に、持玉の取り扱いについて説明することとし、プリペイド残高についての説明を省略する。
【００８０】
図１２（ａ）は、遊技客が会員カード２ではなく一般カード１を用いて持玉遊技を行っている時点の状態を示している。記憶部１０ｃの持玉数１０ｄには「４０００玉」が記憶され、カードユニット部１５のリーダライタ部１５ｂの位置には一般カード１ａが所在している。また、収納部１５ｄには複数枚の一般カード１が収納されており、その最上部には一般カード１ｂが存在する。
【００８１】
ここで、分割数「１０００玉」の持玉分割操作が行われると、図１２（ｂ）に示すように、分割数「１０００玉」が一般カード１ａに関連付けられた後に、該一般カード１ａが分割先カードとして台間カード処理機１０から排出される。この際、記憶部１０ｃに記憶した持玉数１０ｄが「３０００玉」に更新される。
【００８２】
その後、図１２（ｃ）に示すように、収納部１５ｄの最上部に収納した一般カード１ｂが、リーダライタ部１５ｂの位置に搬送され、収納部１５ｄに収納される複数の一般カード１の最上部には一般カード１ｃが所在することになる。このようにして、リーダライタ部１５ｂに所在し最先に排出されるカードが一般カードである場合には、分割数を関連付けた一般カード１ａのみが排出されることになる。
【００８３】
次に、分割先カードが外部から挿入された場合の持玉分割処理について説明する。図１３は、分割先カードが外部から挿入された場合の持玉分割処理を説明するための説明図である。なお、ここでは説明の便宜上、持玉数「０玉」の一般カード１ａを外部から挿入する場合を説明することとするが、会員カード２を外部から挿入する場合も同様の処理となる。ここでも図１１と同様に、持玉の取り扱いについて説明することとし、プリペイド残高についての説明を省略する。
【００８４】
図１３（ａ）は、一般カード１ａを挿入する直前の状態を示している。同図に示すように、この時点では、記憶部１０ｃの持玉数１０ｄに「４０００玉」が記憶され、カードユニット部１５のリーダライタ部１５ｂの位置には一般カード１ｂが所在している。また、収納部１５ｄには複数枚の一般カード１が収納されており、その最上部には一般カード１ｃが存在する。
【００８５】
ここで、分割数「１０００玉」の持玉分割操作時に一般カード１ａを外部から挿入すると、図１３（ｂ）に示すように、リーダライタ部１５ｂの位置に所在する一般カード１ｂが収納部１５ｄの位置に搬送された後に、外部から挿入された一般カード１ａがリーダライタ部１５ｂの位置に搬送される。
【００８６】
そして、図１３（ｃ）に示すように、分割数「１０００玉」が一般カード１ａに関連付けられた後に、該一般カード１ａが分割先カードとして台間カード処理機１０から排出される。この際、記憶部１０ｃに記憶した持玉数１０ｄが「３０００玉」に更新される。また、収納部１５ｄの最上部に収納した一般カード１ｂが、リーダライタ部１５ｂの位置に搬送され、収納部１５ｄに収納される複数の一般カード１の最上部には一般カード１ｃが所在することになる。
【００８７】
このようにして、持玉分割操作時に一般カード１ａを外部から挿入した場合には、分割数を関連付けた一般カード１ａのみを排出することになる。なお、リーダライタ部１５ｂに所在し最先に排出されるカードのカード種別が一般カード１である場合にのみ一般カード１又は会員カード２を外部から受け付けるよう構成することができるが、最先に排出されるカードのカード種別を問わず、一般カード１又は会員カード２を外部から受け付けるよう構成することもできる。
【００８８】
上述してきたように、本実施例では、持玉の分割数を含む所定の持玉分割操作を受け付けた場合に、記憶部１０ｃに記憶したカード種別データ１０ｅを参照してリーダライタ部１５ｂに所在し最先に排出されるカードのカード種別を判定し、一般カードであると判定された場合には、分割数を関連付けた一般カード１を分割先カードとして排出するとともに、会員カードであると判定された場合には、持玉数から分割数を減算した値を関連付けた会員カード２を分割元カードとして排出した後、分割数を関連付けた一般カード１を排出するよう構成したので、持玉分割を行う際の遊技客による分割元カードと分割先カードの取り違えを未然に防止することができる。
【００８９】
なお、本実施例では、リーダライタ部１５にカードを保持する例を示したが、本発明はこれに限定されるものではなく、リーダライタ部１５にはカードの読み書きのみを行わせてカードを保持させず、該カードを収納部１５ｄで保持させるようにしても良い。この場合は、カードを排出する際に保持部１５ｄに保持したカードをリーダライタ部１５に搬送して該リーダライタ部１５の位置でカードの読み書きを行い、読み書き終了後にカードを排出することになる。また、装置外部から分割先カードを挿入する場合であれば、分割先カードが挿入された際にリーダライタ部１５に保持したカードを収納部１５ｄに移動させる必要がなくなり、分割先カードに対してリーダライタ部１５で分割数を書き込めば良いことになるので、操作性が向上する。
【００９０】
また、本実施例では、一般カード１又は会員カード２の持玉数をこれらのカードに書き込むとともに併せてカード管理装置４０で管理する場合を示したが、本発明はこれに限定されるものではなく、カード内又はカード管理装置４０のいずれか一方で管理する場合に適用することもできる。
【００９１】
また、本実施例では、持玉を分割処理する場合を示したが、本発明はこれに限定されるものではなく、貯玉等を分割処理する場合に適用することもできる。さらに、上記実施例では、台間カード処理機１０からノズルを介して持玉を払い出す場合を示したが、本発明はこれに限定されるものではなく、台間カード処理機１０から遊技機２０に対して払出指示を行い、遊技機２０の内部からパチンコ玉を払い出す場合に適用することもできる。
【００９２】
また、本実施例では、カード管理装置４０と会員管理装置５０を別装置とする場合を示したが、本発明はこれに限定されるものではなく、カード管理装置４０と会員管理装置５０を一体化した場合に適用することもできる。
【００９３】
また、本実施例では、台間カード処理機１０で分割処理を行う場合を示したが、機能の一部を島コントローラ３０やカード管理装置４０に持たせて、システムとして同様の機能を達成するようにしても良い。なお、機能の一部を島コントローラ３０やカード管理装置４０以外の機器に持たせることもできる。
【００９４】
また、いわゆるダブルサンドと呼ばれる台間カード処理機（ＣＲユニット）と各台計数機が分離されたものの場合は、計数機能や持玉分割機能を、貸出機能を持つ台間カード処理機（ＣＲユニット）とは別体の装置に持たせても良い。さらに、本実施例では、本発明をカードに適用した場合を示したが、本発明はこれに限定されるものではなく、コインや携帯電話等の他の記録媒体を用いる場合に適用することもできる。
【産業上の利用可能性】
【００９５】
以上のように、本発明に係る各台装置、各台装置を含む遊技システム及び分割処理方法は、持遊技媒体数の一部を他の遊技客に譲渡して共有する場合においてカード等の記録媒体の取り違えに伴う混乱を効率良く防止する場合に適している。
【符号の説明】
【００９６】
１，１ａ〜１ｄ    一般カード
２    会員カード
１０    台間カード処理機
１０ａ  Ｒ／Ｗ部
１０ｂ  通信Ｉ／Ｆ部
１０ｃ  記憶部
１０ｄ  持玉数
１０ｅ  カード種別データ
１０ｆ  制御部
１０ｇ  持玉管理部
１０ｈ  持玉分割処理部
１０ｉ  払出処理部
１１    状態表示部
１２    紙幣挿入部
１３    表示操作部
１４    ノズル
１５    カードユニット部
１５ａ  カード搬送部
１５ｂ  リーダライタ部
１５ｃ  アンテナ部
１５ｄ  収納部
１６    携帯読取部
１７    計数部
１８    持玉貯留部
１８ａ  持玉数表示部
２０    遊技機
２１    上皿
２１ａ  カード返却ボタン
２２    下皿
３０    島コントローラ
４０    カード管理装置
４０ａ  入力部
４０ｂ  表示部
４０ｃ  通信Ｉ／Ｆ部
４０ｄ  記憶部
４０ｅ  カード情報
４０ｆ  制御部
４０ｇ  カード情報管理部
５０    会員管理装置
６０    島端計数機
７０    精算機
８０    景品管理装置
９０    通信回線
【図１】
0005650968.tif 000002
【図２】
0005650968.tif 000003
【図３】
0005650968.tif 000004
【図４】
0005650968.tif 000005
【図５】
0005650968.tif 000006
【図６】
0005650968.tif 000007
【図７】
0005650968.tif 000008
【図８】
0005650968.tif 000009
【図９】
0005650968.tif 000010
【図１０】
0005650968.tif 000011
【図１１】
0005650968.tif 000012
【図１２】
0005650968.tif 000013
【図１３】
0005650968.tif 000014